(57)【要約】【課題】注入口の周囲に余分な導電性流体が付着するのを防ぐことのできる接点開閉装置を提供する。【解決手段】電性流体Ｌが収納されるとともに一対の接点５ａ，６ａが露設される収納室１ｄ及び一端側で収納室１ｄと連結するとともに他端側に導電性流体Ｌを収納室１ｄ内に注入するための注入口２ｆが設けられた注入用溝部２０を有する本体部１と、注入口２ｆを閉塞する閉塞板４と、収納室１ｄ内に収納された導電性流体Ｌを移動させ、一対の接点５ａ，６ａ間の導通状態を切り換える駆動手段であるアクチュエータ７とを備え、基板２の厚み方向に窪んだ窪み部９が注入口２ｆの周囲を囲むように形成されており、注入口２ｆと窪み部９との間には所定の間隔が空けられている。【選択図】図１
2008159323.tif 000002
【特許請求の範囲】
【請求項１】
導電性流体が収納される収納室及び一端側で収納室と連結するとともに他端側に導電性流体を収納室内に注入するための注入口が設けられた注入用溝部を有する本体部と、少なくとも一部を収納室内に臨ませた状態で設けられる一乃至複数の接点と、本体部の厚み方向における収納室の壁部を変形させて導電性流体を移動させることによって接点の間を導電性流体を介して導通又は開放させる駆動手段とを備え、導電性流体を注入口から注入した後の余分な導電性流体を本体部外部に流出させるための流出手段を設けたことを特徴とする接点開閉装置。
【請求項２】
前記流出手段は、本体部外面において注入口周縁に設けられて本体部の厚み方向に窪んだ一乃至複数の窪み部から成ることを特徴とする請求項１記載の接点開閉装置。
【請求項３】
前記窪み部は、その底部が本体部の収納室に貫通することを特徴とする請求項２記載の接点開閉装置。
【請求項４】
前記流出手段は、本体部外面において注入口周縁に突設された段部から成ることを特徴とする請求項１記載の接点開閉装置。
【請求項５】
前記流出手段は、注入用溝部内壁の少なくとも一部分に形成された撥水性を有する撥水材料の被膜から成ることを特徴とする請求項１記載の接点開閉装置。
【請求項６】
前記流出手段は、注入用溝部内壁の少なくとも一部分に設けられた微細な凹凸を有した粗面から成ることを特徴とする請求項１記載の接点開閉装置。
【請求項７】
前記注入用溝部は、注入口に連通し且つその開口面積が収納室に向かうにつれて小さくなる第一の傾斜部と、第一の傾斜部の収納室側の開口部と連通し且つその開口面積が収納室に向かうにつれて大きくなる第二の傾斜部とから成ることを特徴とする請求項５又は６記載の接点開閉装置。
【発明の詳細な説明】
【技術分野】
【０００１】
本発明は、接点開閉装置に関する。
【背景技術】
【０００２】
従来から、圧電素子の駆動によって液体金属を動かすことで接点を開閉する接点開閉装置（液体金属スイッチ）が提供されており、例えば特許文献１に開示されているようなものがある。この接点開閉装置は、複数のコンタクトを外部に露出した状態で有する圧電基板層と、前記コンタクトと接続される複数の圧電素子及び各圧電素子間を分離する不活性の駆動流体を有する駆動装置流体槽層と、圧電素子によって押圧される薄膜層と、回路基板に接続される複数のスイッチ・コンタクト及び各スイッチ・コンタクト間を接続する液体金属及びスイッチング流体を有する液体金属チャネル層と、スイッチ・コンタクトと接続される回路を有する回路基板層とから成る。該接点開閉装置の動作を以下に説明する。圧電基板層の一対のコンタクト間に電圧を印加すると、該一対のコンタクトに接続された圧電素子が伸長し、該圧電素子の伸長に伴って薄膜層が押圧される。薄膜層が押圧されることによって液体金属チャネル層のスイッチング流体の圧力が上昇し、スイッチング流体の圧力の上昇によって液体金属によるスイッチ・コンタクト間の接続が切断され、而して回路基板層の回路上の接点を開放するようになっている。この接点開閉装置では、接点開閉装置の組立時に駆動流体を注入口から駆動装置流体槽層に注入し、その後注入口を封止することで駆動流体を駆動装置流体槽層に充填している。
【特許文献１】特開２００４−３１９４７７号公報
【発明の開示】
【発明が解決しようとする課題】
【０００３】
ところで、上記のような接点開閉装置の他に、導電性流体が収納されるとともに一対の接点が露設される収納室を有する本体部と、本体部を部分的に変形させることで導電性流体を移動させ、一対の接点間の導通状態を切り換えるアクチュエータとを備えた接点開閉装置が知られている。しかしながら、このような接点開閉装置において、上記従来例の駆動流体の注入と同様に、導電性流体を注入口から収納室に注入した後に注入口を封止すると、注入口の周囲に余分な導電性流体が付着することで注入口の封止が困難になるという問題があった。
【０００４】
本発明は、上記の点に鑑みて為されたもので、注入口の周囲に余分な導電性流体が付着するのを防ぐことのできる接点開閉装置を提供することを目的とする。
【課題を解決するための手段】
【０００５】
請求項１の発明は、上記目的を達成するために、導電性流体が収納される収納室及び一端側で収納室と連結するとともに他端側に導電性流体を収納室内に注入するための注入口が設けられた注入用溝部を有する本体部と、少なくとも一部を収納室内に臨ませた状態で設けられる一乃至複数の接点と、本体部の厚み方向における収納室の壁部を変形させて導電性流体を移動させることによって接点の間を導電性流体を介して導通又は開放させる駆動手段とを備え、導電性流体を注入口から注入した後の余分な導電性流体を本体部外部に流出させるための流出手段を設けたことを特徴とする。
【０００６】
請求項２の発明は、請求項１の発明において、流出手段は、本体部外面において注入口周縁に設けられて本体部の厚み方向に窪んだ一乃至複数の窪み部から成ることを特徴とする。
【０００７】
請求項３の発明は、請求項２の発明において、窪み部は、その底部が本体部の収納室に貫通することを特徴とする。
【０００８】
請求項４の発明は、請求項１の発明において、流出手段は、本体部外面において注入口周縁に突設された段部から成ることを特徴とする。
【０００９】
請求項５の発明は、請求項１の発明において、流出手段は、注入用溝部内壁の少なくとも一部分に形成された撥水性を有する撥水材料の被膜から成ることを特徴とする。
【００１０】
請求項６の発明は、請求項１の発明において、流出手段は、注入用溝部内壁の少なくとも一部分に設けられた微細な凹凸を有した粗面から成ることを特徴とする。
【００１１】
請求項７の発明は、請求項５又は６の発明において、注入用溝部は、注入口に連通し且つその開口面積が収納室に向かうにつれて小さくなる第一の傾斜部と、第一の傾斜部の収納室側の開口部と連通し且つその開口面積が収納室に向かうにつれて大きくなる第二の傾斜部とから成ることを特徴とする。
【発明の効果】
【００１２】
請求項１の発明によれば、導電性流体を注入口から注入した後の余分な導電性流体を本体部外部に流出させることができ、したがって余分な導電性流体を容易に除去することができ、注入口を閉塞する作業を容易に行うことができる。
【００１３】
請求項２の発明によれば、本体部外面において本体部の厚み方向に窪んだ窪み部を注入口周縁に設けたので、余分な導電性流体を窪み部に溜めることで注入口の周囲に付着するのを防ぐことができ、したがって余分な導電性流体を容易に除去することができ、注入口を閉塞する作業を容易に行うことができる。
【００１４】
請求項３の発明によれば、窪み部の底部が本体部の収納室に貫通するので、窪み部からも導電性流体を収納室に注入することができ、したがって余分な導電性流体が注入口の周囲に付着するのを防ぐとともに導電性流体を収納室に容易に注入することができる。
【００１５】
請求項４の発明によれば、本体部外面において注入口周縁に段部を突設したので、注入口周縁と段部とが成す角の部位に導電性流体が付着し難くなり、したがって余分な導電性流体を容易に除去することができ、注入口を閉塞する作業を容易に行うことができる。
【００１６】
請求項５の発明によれば、注入用溝部内壁に撥水性を有する撥水材料の被膜を形成したので、導電性流体が注入用溝部内壁に付着し難くなり、したがって余分な導電性流体を容易に除去することができ、注入口を閉塞する作業を容易に行うことができる。
【００１７】
請求項６の発明によれば、注入用溝部内壁に微細な凹凸を有した粗面を設けたので、導電性流体が注入用溝部内壁に付着し難くなり、したがって余分な導電性流体を容易に除去することができ、注入口を閉塞する作業を容易に行うことができる。
【００１８】
請求項７の発明によれば、注入用溝部を注入口に連通し且つその開口面積が収納室に向かうにつれて小さくなる第一の傾斜部と、第一の傾斜部の収納室側の開口部と連通し且つその開口面積が収納室に向かうにつれて大きくなる第二の傾斜部とから構成したので、第一の傾斜部に上記流出防止手段を適用して余分な導電性流体が注入口の周囲に付着するのを防ぐとともに、収納室から注入口に向かうにつれて開口面積が小さくなる第二の傾斜部によって導電性流体が収納室から注入口を通って外部に流出するのを防ぐことができる。
【発明を実施するための最良の形態】
【００１９】
以下、本発明の接点開閉装置の各実施形態について図面を用いて説明する。但し、以下の説明では図１（ｃ）における上下を上下方向と定める。
【００２０】
（実施形態１）
本実施形態は、図１（ａ），（ｂ）に示すように、導電性流体Ｌが収納されるとともに一対の接点５ａ，６ａが露設される収納室１ｄ及び一端側で収納室１ｄと連結するとともに他端側に導電性流体Ｌを収納室１ｄ内に注入するための注入口２ｆが設けられた注入用溝部２０を有する本体部１と、注入口２ｆを閉塞する閉塞板４と、収納室１ｄ内に収納された導電性流体Ｌを移動させ、一対の接点５ａ，６ａ間の導通状態を切り換える駆動手段であるアクチュエータ７とを備える。尚、本実施形態では、導電性流体Ｌとして常温常圧（２５℃、１気圧）で液体の金属（例えば、水銀）を用いている。
【００２１】
本体部１は、図１（ｃ）〜（ｅ）に示すように、基板２と絶縁基板３とを用いて構成される。基板２は、例えば単結晶のシリコン基板から成り、図１（ｃ）に示すように、その前面には略矩形状の凹部２ａが設けられている。この基板２の後面において凹部２ａに対応する部位には、導電性流体Ｌを収納する空洞部１ａ用の凹所２ｂが設けられており、図１（ｂ）に示すように、この凹所２ｂは略菱形に形成されている。また、基板２において凹部２ａの底壁部は薄膜状のダイアフラム部２ｃとなっており、該ダイアフラム部２ｃの略中央部には、前方へ突出する角錘台形の突部２ｄが一体に突設されている（図１（ｃ）参照）。
【００２２】
基板２の後面において凹所２ｂの一端側（図１（ｂ）における右端側）には、空洞部１ａ内に導電性流体Ｌを注入するための通路となる第１チャンネル１ｂ用の第１溝部２ｅが形成されている。第１溝部２ｅは、略矩形状に形成されるとともに、基板２の厚み方向に貫設される略角錐台形状の注入用溝部２０の下端部と連通している。また、注入用溝部２０の上端部は、基板２前面の略正方形状の注入口２ｆと連通している（図１（ｃ）参照）。注入口２ｆは、注入用溝部２０を介して第１チャンネル１ｂ内に導電性流体Ｌを注入するために設けられており、導電性流体Ｌを注入した後に略矩形状のガラス板から成る閉塞板４によって閉塞される（図１（ａ）参照）。また、基板２の前面には、図１（ｃ）に示すように、基板２の厚み方向に窪んだ窪み部９が注入口２ｆの周囲を囲むように形成されており、注入口２ｆと窪み部９との間には所定の間隔が空けられている。
【００２３】
一方、基板２の後面において凹所２ｂの他端側（図１（ｂ）における左端側）には、導電性流体Ｌが移動する流路となる第２チャンネル１ｃ用の略コ字状の第２溝部２ｇが形成されている。
【００２４】
尚、上記の凹部２ａ、凹所２ｂ、突部２ｄ、各溝部２ｅ，２ｇ、注入用溝部２０及び窪み部９は、ＩＣＰ（Inductively  Coupled  Plasma）エッチング等の半導体製造プロセスを利用して基板２に形成してあるが、上記のような半導体製造プロセスは周知であるので、ここでは詳細な説明を省略する。また、基板２の代わりに、基板２と同様の形状に形成された絶縁性を有する樹脂基板等を用いるようにしても構わない。
【００２５】
絶縁基板３は、例えば基板２と略同一の外形寸法を有する透明なガラス基板から成り、基板２の後面に陽極接合等によって接合される。尚、絶縁基板３として、ガラス基板のほかに絶縁性を有する樹脂基板を用いるようにしても構わない。
【００２６】
このように絶縁基板３を基板２の後面に接合することにより、凹所２ｂ及び第１溝部２ｅ並びに第２溝部２ｇの後面開口がそれぞれ閉塞される。そして、絶縁基板３により後面開口が閉塞された凹所２ｂが、導電性流体Ｌを収納する空洞部１ａとして、絶縁基板３により後面開口が閉塞された第１溝部２ｅが、導電性流体Ｌを空洞部１ａに注入するための第１チャンネル１ｂとして、絶縁基板３により後面開口が閉塞された第２溝部２ｇが、導電性流体Ｌの流路となる第２チャンネル１ｃとしてそれぞれ用いられ、これら空洞部１ａと第１チャンネル１ｂ及び第２チャンネル１ｃとによって導電性流体Ｌが移動自在に収納される収納室１ｄが構成される。
【００２７】
一方、絶縁基板３において、基板２の第２溝部２ｇに対向する部位、即ち、第２チャンネル１ｃの底面部となる部位には、貫設孔（スルーホール）３ａが４つ貫設されている（図１（ｂ），（ｄ）参照）。これら４つの貫設孔３ａのそれぞれの内周面及び前面開口には、ともに導電性金属材料を用いためっき層から成る接点５ａ，６ａが交互に形成されており、これにより絶縁基板３を基板２に接合した際には、各一対の接点５ａ，６ａが第２チャンネル１ｃ内に露設されることになる。尚、各接点５ａ，６ａ用の導電性金属材料としては、導電性流体Ｌに対する濡れ性が良いもの（例えば、半田）を用いることが好ましい。
【００２８】
また、絶縁基板３の後面には、銅等の導電性金属材料を用いた一対の電極パッド５ｂ，６ｂがそれぞれ形成されており、電極パッド５ｂは配線パターン５ｃによって一対の接点５ａに、電極パッド６ｂは配線パターン６ｃによって一対の接点６ａにそれぞれ接続されている。
【００２９】
ところで、接点５ａは上述したように２つ設けられているが、導電性流体Ｌが収納室１ｄに注入された後には、何れか１つのみが残されて他方の接点５ａが電極パッド５ｂから電気的に切断される。この点は接点６ａにおいても同様であり、これにより導電性流体Ｌの注入量のばらつきに対応できるようにしている。例えば、導電性流体Ｌの注入量が少なく導電性流体Ｌが何れの接点５ａ，６ａとも接触していない場合と、導電性流体Ｌの注入量が多く導電性流体Ｌが接点５ａとのみ接触している場合とでは、接点開閉の動作が異なってしまうため、前者の場合には、第２チャンネル１ｃの奥側となる他端側（図１（ｂ）における右側）の接点５ａ，６ａがそれぞれ電極パッド５ｂ，６ｂから切断され、後者の場合には、第２チャンネル１ｃの手前側となる一端側（図１（ｂ）における左側）の接点５ａが電極パッド５ｂから切断されるとともに、第２チャンネル１ｃの奥側の接点６ａが電極パッド６ｂから切断される。このようにすることで、導電性流体Ｌの注入量のばらつきに依らず安定した開閉性能を発揮することができる。
【００３０】
アクチュエータ７は、例えば扁平な棒状に形成された圧電振動子から成り、先端部を凹部２ａと対向させると同時に突部２ｄの先端に当接させる形で基板２の前面に接合された片持ち梁構造を有している。而して、アクチュエータ７の厚み方向に電圧を印加すれば、固定されていないアクチュエータ７の先端部がダイアフラム部２ｃに近づく方向に撓んで突部２ｄを押圧し、これにより基板２のダイアフラム部２ｃが凹所２ｂ側へ変形する（撓む）ことになる。そして、電圧の印加を停止すれば、アクチュエータ７が突部２を押圧しなくなり、これによりダイアフラム部２ｃが元の状態に復帰することになる。
【００３１】
次に、本実施形態の動作について説明する。まず、電圧が印加されていない状態では、アクチュエータ７が動作しないためにダイアフラム部２ｃが変形していない。この時、収納室１ｄに収納されている導電性流体Ｌは何れの接点５ａ，６ａとも接触しておらず、接点５ａ，６ａ間は絶縁（開成）されている（オフ状態）。
【００３２】
このオフ状態から電圧を印加してアクチュエータ７を駆動すると、アクチュエータ７の先端部が突部２ｄを押圧し、これによりダイアフラム部２ｃが後方に押し下げられる。ダイアフラム部２ｃが押し下げられると、空洞部１ａの容積が減少し、これにより空洞部１ａ内に収納されている導電性流体Ｌが第２チャンネル１ｃ側へ移動させられ、一対の接点５ａ，６ａが導電性流体Ｌによって短絡（閉成）される（オン状態）。
【００３３】
そして、このオン状態から電圧の印加を停止すれば、アクチュエータ７によって変形させられていたダイアフラム部２ｃが元の状態に復帰する。これに伴って空洞部１ａの容積が元に戻るため、第２チャンネル１ｃ側に移動していた導電性流体Ｌが空洞部１ａ側に戻り、一対の接点５ａ，６ａが開成される（オフ状態）。
【００３４】
以下、導電性流体Ｌを収納室１ｄに注入する方法について図２を用いて説明する。まず、導電性流体Ｌが蓄えられた流体槽８ａを有する真空チャンバ８内に本体部１を配置し、真空チャンバ８内を真空ポンプ（図示せず）を用いて真空引きすることで、真空チャンバ８内及び本体部１の収納室１ｄ内を所定の真空度まで減圧する（図２（ａ）参照）次に、本体部１を流体槽８ａに浸し（図２（ｂ）参照）、真空チャンバ８内の圧力を上昇させると、真空チャンバ８内の圧力が収納室１ｄ内の圧力よりも大きくなるために、流体槽８ａに蓄えられた導電性流体Ｌが注入口２ｆから注入用溝部２０を通って収納室１ｄ内に浸入する（図２（ｃ）参照）。そして、収納室１ｄに所定の導電性流体Ｌが注入されるまで真空チャンバ８内の圧力を上昇させた後に（図２（ｄ）参照）、本体部１を流体槽８ａから取り出し、閉塞板４を基板２の前面に接合して注入口２ｆを閉塞することで、導電性流体Ｌの収納室１ｄへの注入工程が終了する。尚、流体槽８ａに本体部１を浸す際に、凹部２ａにも導電性流体Ｌが浸入するが、凹部２ａに溜まった導電性流体Ｌは注入口２ｆを閉塞板４で閉塞した後に除去するため、ここでは凹部２ａに溜まる導電性流体Ｌの図示を省略している。
【００３５】
ここで、仮に注入口２ｆの周囲に窪み部９を設けなかったとすると、図３（ａ）に示すように、注入口２ｆの周縁を覆うように余分な導電性流体Ｌが付着してしまい、導電性流体Ｌが邪魔となって注入口２ｆを閉塞板４で閉塞する作業が困難となる。これに対して、本実施形態では窪み部９を設けているので、図３（ｂ）に示すように、窪み部９と注入口２ｆとの間で導電性流体Ｌが繋がらないために注入口２ｆの周縁で余分な導電性流体Ｌが付着するのを防ぐことができる。このため、窪み部９に溜った導電性流体Ｌを除去するだけで余分な導電性流体Ｌを容易に除去することができ、したがって注入口２ｆを閉塞板４で閉塞する作業を容易に行うことができる。
【００３６】
（実施形態２）
以下、本発明の実施形態２について図面を用いて説明する。但し、本実施形態は基本的な構成が実施形態１と共通であるので、共通の部位には同一の符号を付して説明を省略する。本実施形態は、図４に示すように、実施形態１の注入口２ｆの代わりに基板２の厚み方向に窪んだ複数（図示では９つ）の窪み部９が設けられていることに特徴がある。窪み部９は、注入口２ｆの開口部よりも小さい略矩形状の開口を有し、各窪み部９の底部は収納室１ｄに貫通するように形成されている。また、各窪み部９は、互いに所定の間隔を空けて設けられている。
【００３７】
而して、実施形態１の注入口２ｆと同様に窪み部９の開口から導電性流体Ｌを収納室１ｄへ注入することができる。ここで、各窪み部９の開口面積の総和は実施形態１の注入口２ｆの開口面積よりも大きいために、実施形態１と比べて導電性流体Ｌを収納室１ｄ内に容易に注入することができる。また、各窪み部９は所定の間隔を空けて形成されているので、各窪み部９の開口間で導電性流体Ｌが繋がらないために窪み部９の開口周縁で余分な導電性流体Ｌを付着するのを防ぐことができ、したがって注入口２ｆを閉塞板４で閉塞する作業を容易に行うことができる。
【００３８】
（実施形態３）
以下、本発明の実施形態３について図面を用いて説明する。但し、本実施形態は基本的な構成が実施形態１と共通であるので、共通の部位には同一の符号を付して説明を省略する。本実施形態は、図５（ａ）に示すように、基板２の前面において上方へと突出する段部１０が注入口２ｆの周縁に一体に形成されていることに特徴がある。段部１０は、注入口２ｆの図５（ａ）における上側及び左側に形成されており、段部１０と基板２の注入口２ｆ周縁との成す角度が略直角となっている（図５（ｂ）参照）。
【００３９】
而して、導電性流体Ｌを収納室１ｄ内に注入する際に、図５（ｂ）に示すように、基板２の注入口２ｆ周縁と段部１０とが成す角の部位に導電性流体Ｌが付着し難くなる。したがって、余分な導電性流体Ｌを容易に除去することができ、注入口２ｆを閉塞板４で閉塞する作業を容易に行うことができる。
【００４０】
（実施形態４）
以下、本発明の実施形態４について図面を用いて説明する。但し、本実施形態は基本的な構成が実施形態１と共通であるので、共通の部位には同一の符号を付して説明を省略する。本実施形態は、注入用溝部２０に特徴があり、図６に示すように、注入口２ｆに連通し且つその開口面積が収納室１ｄに向かうにつれて小さくなる第一の傾斜部２０ａと、第一の傾斜部２０ａの収納室１ｄ側の開口部と連通し且つその開口面積が収納室１ｄに向かうにつれて大きくなる第二の傾斜部２０ｂとから成る。第一の傾斜部２０ａの表面は、例えばフッ素樹脂等の撥水性を有する材料から成る被膜が形成されており、該表面に導電性流体Ｌが付着するのを防いでいる。
【００４１】
而して、導電性流体Ｌを収納室１ｄ内に注入する際に、注入用溝部２０の第一の傾斜部２０ａに導電性流体Ｌが付着するのを防ぐことで、余分な導電性流体Ｌを容易に除去することができ、したがって注入口２ｆを閉塞板４で閉塞する作業を容易に行うことができる。また、第二の傾斜部２０ｂが収納室１ｄから注入口２ｆに向かうにつれてその開口面積が狭くなるように形成されているので、導電性流体Ｌが収納室１ｄから注入口２ｆを通って本体部１の外部に逆流するのを防ぐことができる。
【００４２】
尚、第一の傾斜部２０ａは、導電性流体Ｌが付着するのを防ぐことのできる構成であればよく、上記のように撥水性を有する材料で被膜を形成する代わりに、例えばサンドブラスト処理によって微細な凹凸を形成することで第一の傾斜部２０ａの表面を粗面化してもよい。
【図面の簡単な説明】
【００４３】
【図１】本発明の実施形態１の接点開閉装置を示す図で、（ａ）は概略前面図で、（ｂ）は概略後面図で、（ｃ）はＡ−Ａ’線断面矢視図で、（ｄ）はＢ−Ｂ’線断面矢視図で、（ｅ）はＣ−Ｃ’線断面矢視図である。
【図２】同上の導電性流体の注入方法を示す図で、（ａ）は本体部を導電性流体に浸す前を示す図で、（ｂ）は本体部を導電性流体に浸した直後を示す図で、（ｃ）はチャンバ内の圧力を上昇させた場合を示す図で、（ｄ）はチャンバ内の圧力を所定の値まで上昇させた場合を示す図である。
【図３】同上の窪み部の説明図で、（ａ）は窪み部を設けない場合を示す図で、（ｂ）は窪み部を設けた場合を示す図である。
【図４】本発明の実施形態２の接点開閉装置を示す基板の概略前面図である。
【図５】本発明の実施形態３の接点開閉装置を示す図で、（ａ）は基板の概略前面図で、（ｂ）は本体部断面の一部拡大図である。
【図６】本発明の実施形態４の接点開閉装置を示す概略断面図である。
【符号の説明】
【００４４】
１  本体部
１ｄ  収納室
２ｃ  ダイアフラム部（壁部）
２ｆ  注入口
２０  注入用溝部
５ａ，６ａ  接点
７  アクチュエータ（駆動手段）
９  窪み部（流出防止手段）
Ｌ  導電性流体
【図１】
2008159323.tif 000003
【図２】
2008159323.tif 000004
【図３】
2008159323.tif 000005
【図４】
2008159323.tif 000006
【図５】
2008159323.tif 000007
【図６】
2008159323.tif 000008